(57)【要約】【課題】従来、弾性を有する材料の反発作用を用いた機能改善用手袋は皆無であった。５指機能改善用手袋を提供する。【解決手段】甲側表面全体に弾性を有する材料を用いて構成されている機能改善用手袋は、手袋に指を容易に装着できるよう、手の平側上部から手首の装着手首部まで、開閉なファスナーを設けられており、親指、人差し指、中指、薬指及び小指の５指を手袋の装着部に装着し、上部方向より前記手の平側上部から手首の装着手首部まで、ファスナーを閉じることにより、手袋は手首に密着した状態に成り、そして、前記弾性を有する材料の作用により、指を手の平側内側に拳状に折り曲げた時、指の関節や筋肉に圧力が掛かり、かつ、力を抜くと同時に手を開いた状態になる。前記動作を繰り返すことにより、手の平、指の関節及び筋肉等々の向上に貢献する、また、開口部設けられている手袋の場合も同様の機能を有している５指機能改善用手袋である。【選択図】  図３
2019031761.tif 000002
【特許請求の範囲】
【請求項１】
天然ゴム、シリコーン、塩化ビニール等の弾性を有する素材で一体形成された手袋１であり、さらに、手の平側３に開口部６と、前記手袋１，２装着した時に、前記弾性を有する材料の反発作用を有効に生かすため、手首部２４に開口部７を設けており、そして、前記手首部２４に左右の端部にマジックテープを設けたリストバンドの一方００を固着して、他の一方の先端部を、前記開口部７を介して設けることにより、前記手袋１を手首２２に装着した時に、手首部２２に適宜な強さで締めつけることができるよう構成されていることを特徴とする５指機能改善用手袋。
【請求項２】
上記手袋１を一体化して形成した後で、手の平側３の開口部は６、７を、型抜きして設けても良く、または、当初から開口部６、７を設けても良い、そして、上記記載の手の平側３に開口部６を設けられている手袋１の場合は、指先に重軽度の障害の有る人の場合でも、前記手袋１装着時、前記開口部６を設けることにより、各指先２６，２７，２８，２９，３０を良く確認して装着部８，９，１０，１１，１２に容易に装着できるよう、前記開口部６を設けて構成されていることを特徴とする請求項１記載の５指機能改善用手袋。
【請求項３】
上記弾性を有する材料の天然ゴム、シリコーン、塩化ビニール等の弾性を有する素材で一体形成された手袋１，２を手首に装着した時に、下部方向２０，２１より上部方向１８，１９に、前記手袋１，２の手の平側３，４及び甲側５が直線状に成るようフラット状に構成されていることを特徴とする請求項１又は２記載の５指機能改善用手袋。
【請求項４】
上記の通り手袋１，２手の指２６，２７，２８，２９，３０の装着部８，９，１０，１１，１２，１３，１４に前記指２６，２７，２８，２９，３０装着して、手の内側に拳状３６に折り曲げた状態から、力を抜くと同時に、弾性を有する材料の反発作用により、上記５指は開いた状態成るよう構成されていることを特徴とする請求項１，２又は３記載の５指機能改善用手袋。
【発明の詳細な説明】
【技術分野】
【０００１】
本発名は、５機能改善用手袋に関する
【背景技術】
【０００２】
従来の手袋の機能は、作業用、医療用、野球用、ゴルフ用等々多種多様あるが、５指機能改善用手袋は皆無であった。
【０００３】
また、手袋の装着部に装着し易くなるよう手の平側に開口部を設けられた手袋は皆無であった。
【０００４】
手袋を手装着して、弾性を有する作用を効果的発揮できるよう、手首部に適宜な強さで締め付けられるよう、手首部にリストベルトを設けられている。
【発明の開示】
【発明が解決しようとする課題】
【０００５】
特に従来の介護用手袋で、医療機関等で用いられている手袋の場合は、特に重度の患者の治療に使用される種々の医療等の器具を患者自ら勝手に触れたり、取り外したり出来ないようにすることが主の目的であったが、本発明の機能改善手袋の場合は、健常人は勿論、既に現在、親指,人差し指,中指,薬指,小指等の,ＤＩＰ,ＰＩＰ,ＩＰ,ＭＰ５関節等に障害の有る場合でも、本機能改善用手袋を用いることで課題を解決しようとするものである。
【課題を解決するための手段】
【０００６】
天然ゴム、シリコーン、塩化ビニール等の弾性を有する素材で一体形成された手袋１であり、さらに、手の平側３に開口部６と、前記手袋１，２装着した時に、前記弾性を有する材料の反発作用を有効に生かすため、手首部２４に開口部７を設けており、そして、前記手首部２４に左右の端部にマジックテープ（登録商標）を設けたリストバンドの一方００を固着して、他の一方の先端部を、前記開口部７を介して設けることにより、前記手袋１を手首２２に装着した時に、手首部２２に適宜な強さで締めつけることができるよう構成されていることを特徴とする５指機能改善用手袋である。
【０００７】
上記記載の手の平側３に開口部６を設けられている手袋１の場合は、指先に重軽度の障害の有る人の場合でも、前記手袋１装着時、前記開口部６を設けることにより、各指先２６，２７，２８，２９，３０を良く確認して装着部８，９，１０，１１，１２に容易に装着できるよう、前記開口部６を設けて構成されていることを特徴とする５指機能改善用手袋である。
【０００８】
上記弾性を有する材料の天然ゴム、シリコーン、塩化ビニール等の弾性を有する素材で一体形成された手袋１，２を手首に装着した時に、下部方向２０，２１より上部方向１８，１９に、前記手袋１，２の手の平側３，４及び甲側５が直線状に成るようフラット状に構成されていることを特徴とする５指機能改善用手袋である。
【０００９】
上記の通り手袋１，２手の指２６，２７，２８，２９，３０の装着部８，９，１０，１１，１２，１３，１４に前記指２６，２７，２８，２９，３０装着して、手の内側に拳状３６に折り曲げた状態から、力を抜くと同時に、弾性を有する材料の反発作用により、上記５指は開いた状態成るよう構成されていることを特徴とする５指機能改善用手袋である。
【００１０】
上記記載の手の平側００に開口部００を設けられている手袋００の場合は、指先に重軽度の障害の有る人は、前記手袋００装着時、前記開口部７を設けることにより、各指先００，００，００，００，００を良く確認して装着部８，９，１０，１１，１２に容易に装着できるよう、前記開口部００，００を設けて構成されていることを特徴とする５指機能改善用手袋である。
【００１１】
上記弾性を有する材料の天然ゴム、シリコーン、塩化ビニール等の弾性を有する素材で一体形成された手袋１，２を手首に装着した時に、下部方向２０，２１より上部方向１８，１９に、前記手袋１，２の手の平側００及び甲側が直線状に成るようフラット状に構成されていることを特徴とする５指機能改善用手袋である。
【００１２】
手や指先は脳内に通じる領域が非常に広く、指先を動かすことで脳の広範囲の活性化に大いに貢献可能な５指機能改善用手袋である。
【００１３】
また、厚生労働省研究班の調査では、６５歳以上の高齢者で認知症を患っている方は、推定１５％、２０１２年時点では４６２万人は明らかです。
【００１４】
さらに、軽度認知障害者を合わせると約１３００万人ですので６５歳以上の３人に一人は認知症か、その予備軍に成っていると言うことで有ります。
【００１５】
本発明の５指手指機能改善用手袋の場合は、例えば脚が不自由の人の場合も、手袋にファスナーを設けられていることにより、何時でも、何処でも気軽に用いることが可能である。
【００１６】
さらに、両手の５指関節等々のリハビリ中の人々の場合は、通称グー、チョキ、パーと言われるグーパー運動を連続して繰り返すことにより、前記５指関節の改善に効果が有ると言われております。
【００１７】
またさらに、指に障害等があり、手の平内側に折り曲げることが困難な指の場合は、その指の装着部をカットすることにより、他の指は装着部に装着可能である。
【００１８】
また、弾性を有する材料には、天然ゴム、塩化ビニール、ナイロン、ポリエチレン、ニトリルゴム、ポリエステルシリコン等々多種あるが、適宜な素材を用いればよく限定するものではない。
【００１９】
また、親指３１、人差し指３２、中指、３３薬指３４と小指３５の５本の指の
中で、手の平側に折り曲げることが不可能な指の場合は、その指の装着部を適宜位置からカットすれば良よい。
【００２０】
また、弾性を有する材料には、天然ゴム、塩化ビニール、ナイロン、ポリエチレン、ニトリルゴム、ポリエステルシリコン等で形成する場合に、当初から手袋全体を一括で成型後、開口部設けるか、又は、当初から開口部を設けても良く、双方何方か安価な方法を選択すれば良く、限定するものではない。
【発明の効果】
【００２１】
昔から、手の平等々の血行を改善に効果が期待できるとして、クルミ等を手の平側で握って揉む代わりとして、本発明の５指機能改善用手袋を使用することにより、前記血行等々改善に効果が期待できる５指機能改善用手袋である。
【００２２】
従来は、５指の関節機能改善用の器具は多種あるが、価格も高価で有り、かつ、使用方法にも手間が掛かるが、本発明の手指機能改善用手袋の場合は、使用方法も簡単であり、価格も安価で提供可能である。
【００２３】
また、単に従来の手袋等を用いず、ただ、指の５指関節等々のリハビリを、グー、チョキ、パーの、グー、パーを繰り返すだけの機能改善方法であつたが、本５指機能改善用手袋の場合は、手袋の装着部に５指を装着して、グー、パーと一連の動作を繰り返すだけで、指の５指関節等々のリハビリ効果を大いに効果を期待できる手指機能改善用手袋である。
【００２４】
勿論健常人の場合でも機能改善用手袋を使用することにより、現状を維持することが可能な手指機能改善用手袋である。
【発明を実施するための最良の形態】
【００２５】
次に、本発明の実施形態１及び２について図面を参照しながら説明するが、本発明はこれに限定されるものではない。
【００２６】
また、勿論手袋は左右一対であるが、実施例の各図面は右手の図面である。
【００２７】
以下本発明の５指機能改善用手袋の実施例１に付いて、図１から図７に基づいて説明する。
【００２８】
図１は、天然ゴム、シリコーン、塩化ビニール等の弾性を有する素材で一体形成された手袋１には、親指２６、人差し指２７、中指２８、薬指２９、小指３０用の装着部８，９，１０，１１，１２を設けており、そして、手袋１装着時、装着し易いように手の平側３に開口部６と、図２に示されている帯状１５のリストバンド１６用の開口部７を設けられている。
【００２９】
図２は、手袋１を手に装着した時に、手首２２に適宜な強さで装着できるよう、
手首部２４にも開口部７を設けており、そして前記手首部２４に左右の端部にマジックテープ（登録商標）３７，３８を設けたリストバンド１６一方を固着３７して、前前記リストバンド１６一方を、前記開口部７を介して、前記マジックテープ（登録商標）３７に固着できるよう設けられている。
【００３０】
図３は、天然ゴム、シリコーン、塩化ビニール等の弾性を有する素材で一体形成された手袋１には、親指２６、人差し指２７、中指２８、薬指２９、小指３０用の装着部８，９，１０，１１，１２を設けており、そして、手袋１装着時、装着し易いように手の平側３に開口部６と、図２に示されている帯状１５のリストバンド１６用の開口部７を設けており、そして、手首部２４に図２に示されている帯状１５のリストバンド１６を用いて、手首２２に固着している。Ｂ−Ｂ’方向は図５の方向を示している。
【００３１】
図４は、図１のＡ−Ａ’方向を示す端面であり、６は出袋１の手の平側３の開口部６であり、５は甲側である。
【００３２】
図５は、手袋１の装着部８，９，１０，１１，１２に、親指２６、人差し指２７、中指２８、薬指２９、小指３を装着した時に、手の平側３と甲側５が下部方向２０より上部１８方向に直線状に成るよう一体に形成されていることを示す側面図である。
【００３３】
図６は、手袋１の装着部手袋１の装着部８，９，１０，１１，１２に、親指２６、人差し指２７、中指２８、薬指２９、小指３を装着して、手の平側３に拳状３６に握り締めた状態を示している。また、６，７は開口部、３７，３８はマジックテープ（登録商標）で手首２２に手首部２４を固着した状態を示している。
【００３４】
図７は、手の骨格を示す図であり、３１はＤＩＰ関節、３２はＰＩＰ関節、３３はＩＰ関節、３４はＭＰ関節、そして３５はＣＭ関節である。
【００３５】
以下本発明の実施例２の形態を図８から図１０に基づいて説明する。
【００３６】
図８は、手袋２手の平側４の装着部８，９，１０，１１，１２に、親指２６、人差し指２７、中指２８、薬指２９、小指３を装着して、ファスナー１７を閉じた状態を示す平面図である。２５は手首部であり、２３は手首である。
【００３７】
図９は、図８の手袋２に手袋２手の平側４の装着部８，９，１０，１１，１２に、親指２６、人差し指２７、中指２８、薬指２９、小指３を装着して、ファスナー１７を閉じ、拳状３６に手を握り締めた状態を示している。２３はは手首、２５は手首部であり、１７はファスナーである。
【００３８】
図１０は、図９のＣ−Ｃ’方向を示す端面図であり、４は手の平側であり、１７はファスナー、５は甲側を示している。
【産業上の利用可能性】
【００３９】
従来の手袋と異なり、健常の人々は勿論のこと、手の握力低下の人々に安価で提供できる５指機能改善手袋であり、医療機関等は勿論のこと、自宅療養中や、、歩行困難な人々達の場合でも、一人でも気軽に用いることが出来よう、ファスナーを設けられえている、その効果として、５指関節、筋肉等々の機能に刺激を与える共に、脳の活性化にも大いに貢献することにより認知症や脳梗塞等々に貢献可能な５指機能改善手袋である。
【図面の簡単な説明】
【００４０】
【図１】図１は、手袋の手の平側に開口部を設けた平面図。
【図２】図２は,手首部のリストバンドを示す平面図。
【図３】図３は,手袋を装着した状態を示す平面図。
【図４】図４は、図１のＡ−Ａ’方向を示す端面図。
【図５】図５は,図３のＢ−Ｂ’方向を示す側面図。
【図６】図２の手袋を装着して拳状に指を握った状態を示す正面図。
【図７】図７は,手の骨格を示す平面図。
【図８】図８は、手袋のファスナーを上部から下部に開いた平面図。
【図９】図９は、図８のファスナーを閉じた平面図。
【図１０】図１０は図９のＣ−Ｃ’方向を示す端面図。
【符号の説明】
【００４１】
手袋        １、２
手の平側    ３，４
甲側        ５
開口部    ．６
開口部      ７
装着部      ８，９，１０，１１，１２
帯状        １５
リストバンド１６
ファスナー  １７
上部        １８，１９
下部        ２０，２１
手首        ２２，２３
手首部      ２４，２５
親指        ２６
人差し指    ２７
中指        ２８
薬指        ２９
小指        ３０
ＤＩＰ関節  ３１
ＰＩＰ関節  ３２
ＩＰ関節    ３３
ＭＰ関節    ３４
ＣＭ関節    ３５   
拳          ３６
マジックテープ（登録商標）３７，３８
方向        Ａ−Ａ’ , Ｂ−Ｂ’  Ｃ−Ｃ’
【図１】
2019031761.tif 000003
【図２】
2019031761.tif 000004
【図３】
2019031761.tif 000005
【図４】
2019031761.tif 000006
【図５】
2019031761.tif 000007
【図６】
2019031761.tif 000008
【図７】
2019031761.tif 000009
【図８】
2019031761.tif 000010
【図９】
2019031761.tif 000011
【図１０】
2019031761.tif 000012
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
天然ゴム、シリコーン、塩化ビニールの弾性を有する素材で一体形成された手袋であり、さらに、手の平側に開口部と、前記手袋に装着した時に、前記弾性を有する材料の反発作用を生かすため、手首部に開口部を設けており、そして、前記手首部に左右の端部に面ファスナーを設けたリストバンドの一方を固着して、他の一方の先端部を、前記開口部を介して設けることにより、前記手袋を手首に装着した時に、手首部に締めつけることができるよう構成されていることを特徴とする５指機能改善用手袋。
【請求項２】
上記手袋を一体化して形成した後で、手の平側の開口部を、型抜きして設けても良く、または、当初から開口部を設けても良い、そして、上記記載の手の  平側に開口部を設けられている手袋の場合は、指先に障害の有る人の場合でも、前記手袋装着時、前記開口部を設けることにより、各指先を確認して装着部に装着できるよう、前記開口部を設けて構成されていることを特徴とする請求項１記載の５指機能改善用手袋。
【請求項３】
上記弾性を有する材料の天然ゴム、シリコーン、塩化ビニールの弾性を有する素材で一体形成された手袋を手首に装着した時に、下部方向より上部方向に、前記手袋の手の平側及び甲側が直線状に成るようフラットに構成されていることを特徴とする請求項１又は２記載の５指機能改善用手袋。
【請求項４】
手袋の指の装着部に前記指を装着して、手の内側に拳状に折り曲げた状態から、力を抜くと同時に、弾性を有する材料の反発作用により、上記５指は開いた状態に成るよう構成されていることを特徴とする請求項３記載の５指機能改善用手袋。